(57)【要約】      （修正有）【課題】  簡易な構造で電力を利用せずに床面上のゴミを吸引できる手動吸引掃除機を提供する。【解決手段】  筐体側部の軸受部に保持され、両端部に車輪を固定したクランク軸を、該車輪の床面上での回転に伴って回転できるように構成し、該車輪の回転に伴って回転する該クランク軸の作用によって、筐体内に並列に収納された弾性袋体が交互に圧縮または膨らみ、床面上のゴミを吸引しゴミ収納部にゴミを貯めた後、筐体及びゴミ収納部のヒンジを介して開放し、ゴミを外部に捨てることができるように構成し、筐体上部に固定された支持バーの把手を持って、床面に接した車輪を転がし、その回転によってクランク軸が筐体内の弾性袋体を交互に圧縮し、床面上のゴミを吸引できるように構成し、弾性袋体の上部にはフィルターが設けられ、該弾性袋体の下部にはそれぞれ逆止弁が設けられ、更にゴミ収納部の吸引口に逆止弁が設けられていることを特徴とする。【選択図】  図２
2006187571.tif 000002
【特許請求の範囲】
【請求項１】
筐体側部の軸受部に保持され、両端部に車輪を固定したクランク軸を、該車輪の床面上での回転に伴って回転できるように構成し、該車輪の回転に伴って回転する該クランク軸の作用によって、筐体内に並列に収納された弾性袋体が交互に圧縮または膨らみ、床面上のゴミを吸引しゴミ収納部にゴミを貯めた後、筐体及びゴミ収納部のヒンジを介して開放し、ゴミを外部に捨てることができるように構成したことを特徴とする手動吸引掃除機。
【請求項２】
筐体上部に固定された支持バーの把手を持って、床面に接した車輪を転がし、その回転によってクランク軸が筐体内の弾性袋体を交互に圧縮し、弾性袋体が急激に膨らむときに吸引機能が付与され、床面上のゴミを吸引できるように構成したことを特徴とする請求項１の手動吸引掃除機。
【請求項３】
弾性袋体の上部にはフィルターが設けられ、該弾性袋体の下部にはそれぞれ逆止弁が設けられ、更にゴミ収納部の吸引口に逆止弁が設けられていることを特徴とする請求項１の手動吸引掃除機。
【発明の詳細な説明】
【技術分野】
【０００１】  本発明は手動で容易に床面上のゴミを吸引除去できる手動吸引掃除機に関する。
【背景技術】
【０００２】  一般的に、家庭又は業務用に使用される掃除機は、複雑な構造で製造コストも高価で、いずれも電動でゴミを吸引する電気掃除機が主流であり、競って家電メーカーが電気掃除機を製造し、それぞれの特徴を主張した技術を提供している。
そこで、特開２００３−５２５９５号公報の要約には、手動でも簡便に使える電気掃除機を提供すると開示されているが、これは電動式自走掃除機の自走機能を単に手動に切り替えただけのものである。【０００３】  また、特開９−１５８９００号公報には、手動ポンプとサイホンの組み合わせにより、簡単な操作で浴槽や観賞魚の水槽など液体中のゴミを容易に排出できる簡便な吸引掃除具が提案されているが、これは床面のゴミを吸引できる手動式の掃除機に利用することはできないものである。【０００４】  また、床面上のゴミを除去する手動式掃除具では、特開２００２−１５３４１２号公報があるが、これは粘着面を有するローラーを転がしてゴミを粘着面に粘着して除去するものであって床面の表面上のゴミを取るものであった。【０００５】
【特許文献１】          特開２００３−５２５９５号公報
【特許文献２】          特開平９−１５８００号公報
【特許文献３】          特開２００２−１５３４１２号公報
【発明の開示】
【発明が解決しようとする課題】
【０００６】  上述した特開２００３−５２５９５号公報は、要約の中で手動でも簡便に使える電気掃除機を提供すると開示しているが、完全な手動ではなく、極めて複雑な構造と電気的制御手段を有するものであり、また上述した特開平９−１５８００号公報は、完全な手動ではあるが、液体中のゴミ吸引掃除具である。また上述した特開２００２−１５３４１２号公報は、手動式であるが、粘着面を有するローラーを転がしてゴミを粘着面に粘着して除去するものであって床面の表面上のゴミを取るものであり、じゅうたん等に食い込んだゴミや動物の毛等を吸引できるものではなかった。したがって、簡易な構造で電力を利用せずにゴミを吸引できる手動吸引掃除機は、保守も簡単で経済的であり電力を消費することがなく、家庭内で容易に使用できる手動式掃除機を提供することが本発明の課題である。
【課題を解決するための手段】
【０００７】  本発明は、このような事情に鑑みてなされたものであり、特に家庭などでは室内で小形動物を飼育する場合があり、犬猫の毛や小鳥かごから落ちるゴミなどを、じゅうたんやフローリングの床面から容易に吸引して取り除くことのできる完全な手動吸引掃除機を提供するものである。【０００８】  このような課題に応えるために創案された本発明は、筐体側部の軸受部に保持され、両端部に車輪を固定したクランク軸を、該車輪の床面上での回転に伴って回転できるように構成し、該車輪の回転に伴って回転する該クランク軸の作用によって、筐体内に並列に収納された弾性袋体が交互に圧縮または膨らみ、床面上のゴミを吸引しゴミ収納部にゴミを貯めた後、筐体及びゴミ収納部のヒンジを介して開放し、ゴミを外部に捨てることができるように構成したことを特徴とし、筐体上部に固定された支持バーの把手を持って、床面に接した車輪を転がし、その回転によってクランク軸が筐体内の弾性袋体を交互に圧縮し、弾性袋体が急激に膨らむときに吸引機能が付与され、床面上のゴミを吸引できるように構成したことを特徴とし、弾性袋体の上部にはフィルターが設けられ、該弾性袋体の下部にはそれぞれ逆止弁が設けられ、更にゴミ収納部の吸引口に逆止弁が設けられていることを特徴とする手動吸引掃除機を提供するものである。
【発明の効果】
【０００９】  以上説明したように本発明に係る手動吸引掃除機によれば、特に家庭などでは室内で小形動物を飼育する場合、犬猫の毛や小鳥かごから落ちるゴミなどを、じゅうたんやフローリングの床面から容易に吸引して取り除くことのできる完全な手動吸引掃除機であり、電力消費もなく、簡便で経済的な効果のある手動吸引掃除機を提供することができる。
【発明を実施するための最良の形態】
【００１０】  以下、図面に基づいて、本発明を実施するための最良の形態を具体的に説明する。
図面に於いて、図１は本発明に係る手動吸引掃除機の全体斜視図である。図２は本発明に係る手動吸引掃除機の部分縦断面図である。図３は本発明に係る手動吸引掃除機の部分水平断面図である。【００１１】  図１に示すように、本発明の手動吸引掃除機１は、筐体３の両サイドに車輪２、２を有し、筐体３に取り付けられた支持バー９の先端の把手１０を持って、床面上で車輪２、２を転がせば、容易にじゅうたんやフローリングの床面上の犬猫の毛や小鳥かごから落ちるゴミなどを容易に吸引して取り除くことができるものである。【００１２】  その具体的な構造と作用について、図２乃至図３に基づいて以下に説明する。
筐体３の軸受部４、４にはクランク軸５が保持され、該クランク軸５の両端部には、車輪２，２が固定されている。
したがって、クランク軸５が、車輪２、２の床面上での回転に伴って回転すると、該クランク軸５の作用によって、筐体内に並列に収納された弾性袋体６、７が交互に圧縮または膨らみ、床面上のゴミを吸引口８３、８４から吸引し、ゴミ収納部８にゴミが貯まる。貯まったゴミは、筐体３及びゴミ収納部８のヒンジ８５を介して開放し、容易にゴミを捨てることができる。【００１３】  弾性袋体６、７は、常に膨らんだ状態に成形されたプラスチックやゴム等の材質で構成されており、これに抗してクランク軸５の回転によって強制的に交互に押しつぶされる構成になっている。【００１４】  したがって、筐体３内の弾性袋体６に対するクランク軸の押圧付勢力が急激に開放されると、弾性袋体６は急激に元の形状に戻って膨らむので、このとき逆止弁６２が開放され且つ逆止弁８１、８２も同時に開放され、吸引口８３，８４よりゴミを吸引し、余剰の空気はフィルター６１を通過して外部へ放出される。【００１５】  ゴミが吸引された後、逆止弁６２は自重によって閉じられ、さらにクランク軸５の回転に伴って、弾性袋体６は押しつぶされ、このとき逆止弁８１、８２も同時に自重によって閉じられ、吸引口８３、８４よりゴミを吸引されたゴミがゴミ収納部に貯まる。【００１６】    筐体３内の他方の弾性袋体７に対するクランク軸の押圧付勢力が急激に開放さ、弾性袋体７は急激に元の形状に戻って膨らむので、このとき逆止弁７２が開放され且つ逆止弁８１、８２も同時に開放され、吸引口８３，８４よりゴミを吸引し、余剰の空気はフィルター７１を通過して外部へ放出され、ゴミが吸引された後、逆止弁７２は自重によって閉じられ、さらにクランク軸５の回転に伴って、弾性袋体７は押しつぶされ、このとき逆止弁８１、８２も同時に自重によって閉じられ、吸引口８３、８４よりゴミを吸引されたゴミがゴミ収納部に貯まる。【００１７】  この交互操作の繰り返しによって、犬猫の毛や小鳥かごから落ちるゴミなどを容易に吸引して床面から取り除きゴミをゴミ収納部８に貯めることができる。しかる後、貯まったゴミは、筐体３及びゴミ収納部８のヒンジ８５を介して開放し、容易に捨てることができるように構成されている。
【図面の簡単な説明】
【００１８】
【図１】  本発明に係る手動吸引掃除機の全体斜視図である。
【図２】  本発明に係る手動吸引掃除機の部分縦断面図である。
【図３】  本発明に係る手動吸引掃除機の部分水平断面図である。
【符号の説明】
【００１９】  １．  手動吸引掃除機
２．  車輪
３．  筐体
４．  軸受部
５．  クランク軸
６．  弾性袋体
６１．  フィルター
６２．  逆止弁
６３．  吸排気口
７．  弾性袋体
７１．  フィルター
７２．  逆止弁
７３．  吸排気口
８．  ゴミ収納部
８１．  逆止弁
８２．  逆止弁
８３．  吸引口
８４．  吸引口
８５．  ヒンジ
９．  支持バー
１０．  把手
【図１】
2006187571.tif 000003
【図２】
2006187571.tif 000004
【図３】
2006187571.tif 000005